(57)【要約】 【課題】  審美性に優れると共に、残存歯の歯肉への影響のない局部義歯を提供する。【解決手段】  人工歯１１、１１・・・を保持する義歯床１２を有する局部義歯１０において、義歯床１２には、局部義歯１０の装着時に残存歯１３ａ、１３ｂに圧接しうる圧接部１４、１４が設けられている。【選択図】  図１
2018064657.tif 000002
【特許請求の範囲】
【請求項１】
人工歯を保持する義歯床を有する局部義歯において、前記義歯床には、前記局部義歯の装着時に残存歯に圧接しうる圧接部が設けられていることを特徴とする局部義歯。
【請求項２】
前記圧接部は、前記人工歯の歯列方向端部に設けられていることを特徴とする請求項１記載の局部義歯。
【請求項３】
前記圧接部は、弾性体により構成されていることを特徴とする請求項１又は２に記載の局部義歯。
【請求項４】
前記人工歯と前記義歯床との間には、前記残存歯に係合する支持部が設けられていることを特徴とする請求項１〜３のいずれか１項に記載の局部義歯。
【請求項５】
前記圧接部は、金属製であることを特徴とする請求項３記載の局部義歯。
【請求項６】
前記義歯床はアクリル樹脂製であると共に、前記圧接部は、ゴム、又は、シリコーン樹脂製、或いは、金属とゴム、又は、シリコーン樹脂との複合体であることを特徴とする請求項３記載の局部義歯。
【発明の詳細な説明】
【技術分野】
【０００１】
本発明は、局部義歯に関するものである。
【背景技術】
【０００２】
従来より、部分的な歯の喪失を補う為に用いられる歯科の補綴装置として、局部義歯が知られている。一般に、局部義歯を口腔内に安定して固定し、その固定状態を維持するために、局部義歯は、口腔内の口蓋や歯肉、残存歯に対して支持固定するための装着構造を有している。
特に、残存歯に対して支持固定するための装着構造としては、金属製であって残存歯を２つの爪状部材によって挟持固定するクラスプ（例えば、特許文献１）や、合成樹脂製であって、残存歯及び残存歯の歯肉に当接固定するウイングと呼ばれるものが知られている。
【０００３】
しかしながら、クラスプは外部から視認されるため、局部義歯の装着者が局部義歯を装着していることが他人から知られ、審美性に欠けるという不具合があった。
また、ウイングにあっては、合成樹脂製であるため、歯肉と似た色彩を付すことができ、前記のようなクラスプが有する不具合は解消できる一方で、ウイングが残存歯の歯肉を圧迫し、歯肉の短縮が起こるという不具合があった。
【０００４】
本件特許出願人は先行技術を調査し、特許文献１の他に以下の文献を発見したが、前記不具合を解消するような文献ではなかった。
【先行技術文献】
【特許文献】
【０００５】
【特許文献１】実開平３−９４２１０号公報
【特許文献２】実開平７−１３３０号公報
【発明の概要】
【発明が解決しようとする課題】
【０００６】
本発明は、以上のような従来からの不具合を解消するためのものであって、その課題は、審美性に優れると共に、残存歯の歯肉への影響のない局部義歯を提供することにある。
【課題を解決するための手段】
【０００７】
前記課題を解決するために、請求項１記載の発明にあっては、人工歯を保持する義歯床を有する局部義歯において、前記義歯床には、前記義歯の装着時に残存歯に圧接しうる圧接部が設けられていることを特徴とする。
【０００８】
従って、前記局部義歯の装着時には、前記圧接部が前記残存歯に圧接し、前記局部義歯が前記残存歯に対して固定される。
【０００９】
請求項２に記載の発明にあっては、前記圧接部は、前記人工歯の歯列方向端部に設けられていることを特徴とする。
【００１０】
従って、前記人工歯の歯列方向端部に設けられた前記圧接部が前記残存歯に圧接し、前記局部義歯が前記残存歯に対して固定される。
【００１１】
請求項３に記載の発明にあっては、前記付勢部は、弾性体により構成されていることを特徴とする。
【００１２】
従って、前記弾性体が前記残存歯に圧接することによって発生する弾性力によって、前記局部義歯が前記残存歯に対して固定される。
【００１３】
請求項４に記載の発明にあっては、前記人工歯と前記義歯床との間には、前記残存歯に係合する支持部が設けられていることを特徴とする。
【００１４】
従って、前記支持部によって、前記人工歯は前記残存歯に係合して支持される。
【００１５】
請求項５に記載の発明にあっては、前記圧接部は、金属製であることを特徴とする。
【００１６】
請求項６に記載の発明にあっては、前記義歯床はアクリル樹脂製であると共に、前記圧接部は、ゴム、又は、シリコーン樹脂製、或いは、金属とゴム、又は、シリコーン樹脂との複合体であることを特徴とする。
【００１７】
従って、ゴム、又は、シリコーン樹脂製、或いは、金属とゴム、又は、シリコーン樹脂との複合体である前記圧接部が、アクリル樹脂製の前記義歯床に接着して固定される。
【発明の効果】
【００１８】
請求項１〜５記載の局部義歯にあっては、前記局部義歯の装着時には、前記圧接部が前記残存歯に圧接し、前記局部義歯が前記残存歯に対して固定されるので、従来の局部義歯の固定構造であるクラスプやウイングと異なり、金属により残存歯を挟持固定する構造や、残存歯の歯肉に当接固定する構造を有しておらず、前記圧接部が外部から視認できない状態で前記局部義歯が固定される。
その結果、審美性に優れると共に、残存歯の歯肉への影響のない局部義歯を提供することができる。
【００１９】
特に、請求項２記載の局部義歯にあっては、前記圧接部が前記人工歯の歯列方向端部に設けられているので、前記圧接部が前記残存歯に圧接し空隙が生じない。従って、前記局部義歯と前記残存歯との間に食片が挟まるという事態を防止することができる。
またさらに、請求項２記載の局部義歯にあっては、前記圧接部が前記残存歯に圧接するので、前記局部義歯の着脱の際に前記圧接部が前記残存歯に接触することにより結果的に清掃作用も果たす。
従来の局部義歯にあっては、人工歯と残存歯との間に空隙があり、局部義歯の着脱によっては清掃作用を果たすことができなかったのに対して、請求項２記載の局部義歯にあっては、前記圧接部と前記残存歯との接触面を清掃することができ、その結果、虫歯や口臭の発生を防ぐことができる。
【００２０】
特に、請求項４記載の局部義歯にあっては、前記支持部によって、前記人工歯は前記残存歯に係合して支持されるので、前記局部義歯を前記残存歯に対してより確実に固定することができる。
【００２１】
また、特に請求項６記載の局部義歯にあっては、ゴム、又は、シリコーン樹脂製、或いは、金属とゴム、又は、シリコーン樹脂との複合体である前記圧接部が、アクリル樹脂製の前記義歯床に接着して固定される。
従って、従来のウイングはナイロン製であって、人工歯に直接化学的接着ができないという不具合があったのに対し、請求項６記載の局部義歯にあっては、人工歯及び義歯床と直接化学的接着をすることができるため、物理的な係合手段を設ける必要がなく、狭いスペースにも使用可能な局部義歯を提供することができる。
【図面の簡単な説明】
【００２２】
【図１】図１は、本発明に係る局部義歯の一実施形態において、局部義歯を装着した状態を示す斜視図である。
【図２】図２は、本発明に係る局部義歯の一実施形態を示す正面側斜視図である。
【図３】図３は、本発明に係る局部義歯の一実施形態を示す背面側斜視図である。
【図４】図４は、本発明に係る局部義歯の一実施形態を示す斜視図である。
【図５】図５は、本発明に係る局部義歯の一実施形態において、（ａ）は局部義歯を装着する途中の状態を示す図４のII−II’線相当断面模式図、（ｂ）は局部義歯が装着された状態を示す図４のII−II’線相当断面模式図である。
【発明を実施するための形態】
【００２３】
以下、本発明の一実施の形態に係る局部義歯を図面を参照して詳細に説明する。
図１〜図５に示すように、本実施の形態に係る局部義歯１０は、装着者の口腔内３０に配置され、人工歯１１、１１・・・を保持する義歯床１２を有している。
本実施の形態に係る義歯床１２は、アクリル樹脂製である。具体的には、一般的に義歯床に使用されるＰＭＭＡ（ポリメチルメタクリレート）等の加熱重合レジンや常温重合レジンにより構成されている。また、本実施の形態に係る人工歯１１、１１・・・は、一般的に人工歯に使用される白色の合成樹脂により構成されている。
図１〜図４に示すように、本実施の形態に係る局部義歯１０は、下顎における左側６番、２番、１番欠損、及び、右側１番、２番、６番、７番欠損を人工歯１１、１１・・・で補うためのものであって、人工歯１１、１１・・・を保持する義歯床１２は、欠損した箇所の顎堤粘膜に係合するように、歯列に沿って平面円弧状のカーブを有すると共に、歯列方向断面が略Ｕ字状に凹設されている。特に、図１及び図２に示すように、本実施の形態に係る人工歯１１ａは左側６番欠損に相当する人工歯である。
また、図１及び図２に示すように、本実施の形態に係る残存歯１３、１３・・・は、夫々、左側７番、５番〜３番、右側３番〜５番に相当する。特に、図１及び図２に示すように、本実施の形態に係る残存歯１３ａ、１３ｂは、夫々、左側５番、７番である。
また、図１〜図５に示すように、本実施の形態に係る義歯床１２には、局部義歯１０の装着時に残存歯１３ａ、１３ｂに圧接しうる圧接部１４、１４が設けられている。
【００２４】
図１〜図５に示すように、本実施の形態に係る圧接部１４、１４は、弾性体であるシリコーン樹脂製であって、人工歯１１ａの歯列方向端部１５、１５に設けられている。特に、図５に示すように、本実施の形態に係る局部義歯１０にあっては、シリコーン樹脂製の圧接部１４、１４が、人工歯１１ａ及びアクリル樹脂製の義歯床１２に接着して固定されている。
【００２５】
図１〜図５に示すように、本実施の形態に係る人工歯１１ａと義歯床１２との間には、残存歯１３ａ、１３ｂに係合する支持部１６、１６が設けられている。
【００２６】
以下、本実施の形態に係る局部義歯１０の作用について、添付図面を参照して説明する。
図１〜図５に示すように、本実施の形態に係る局部義歯１０は、装着者の口腔内３０に装着して使用する。具体的には、図５（ａ）に示すように、口腔内３０の歯の欠損箇所１７に装着して使用する。
この際、本実施の形態に係る局部義歯１０にあっては、圧接部１４、１４が残存歯１３ａ、１３ｂに圧接し、局部義歯１０が残存歯１３ａ、１３ｂに対して固定されるので、従来の局部義歯の固定構造であるクラスプやウイングと異なり、金属により残存歯を挟持固定する構造や、残存歯の歯肉に当接固定する構造を有しておらず、前記圧接部が外部から視認できない状態で局部義歯１０が固定される。
その結果、審美性に優れると共に、残存歯の歯肉への影響のない局部義歯を提供することができる。
【００２７】
特に、図４及び図５に示すように、本実施の形態に係る局部義歯１０にあっては、圧接部１４、１４が人工歯１１ａの歯列方向端部１５、１５に設けられているので、圧接部１４、１４が残存歯１３ａ、１３ｂに圧接し空隙が生じない。従って、局部義歯１０と残存歯１３ａ、１３ｂとの間に食片が挟まるという事態を防止することができる。
またさらに、図４及び図５に示すように、本実施の形態に係る局部義歯１０にあっては、圧接部１４、１４が残存歯１３ａ、１３ｂに圧接するので、局部義歯１０の着脱の際に圧接部１４、１４が残存歯１３ａ、１３ｂに接触することにより結果的に清掃作用も果たす。
従来の局部義歯にあっては、人工歯と残存歯との間に空隙があり、局部義歯の着脱によっては清掃作用を果たすことができなかったのに対して、本実施の形態に係る局部義歯１０にあっては、圧接部１４、１４と残存歯１３ａ、１３ｂとの接触面を清掃することができ、その結果、虫歯や口臭の発生を防ぐことができる。
【００２８】
特に、本実施の形態に係る局部義歯１０にあっては、支持部１６、１６によって、人工歯１１ａは残存歯１３ａ、１３ｂに係合して支持されるので、局部義歯１０を残存歯１３ａ、１３ｂに対してより確実に固定することができる。
【００２９】
また、特に本実施の形態に係る局部義歯１０にあっては、シリコーン樹脂製の圧接部１４、１４が、アクリル樹脂製の義歯床１２に接着して固定される。
従って、従来のウイングはナイロン製であって、人工歯に直接化学的接着ができないという不具合があったのに対し、本実施の形態に係る圧接部１４、１４は、人工歯１１ａ及び義歯床１２と直接化学的接着をすることができるため、物理的な係合手段を設ける必要がなく、狭いスペースにも使用可能な局部義歯を提供することができる。
【００３０】
本実施の形態に係る局部義歯１０にあっては、圧接部１４、１４がシリコーン樹脂製である場合を例に説明したが、前記構成に限定されず、圧接部１４が金属製、又は、ゴム製であってもよい。
【産業上の利用可能性】
【００３１】
本発明に係る局部義歯は、義歯の固定構造として広く使用することができ、産業上利用可能性を有している。
【符号の説明】
【００３２】
１０：局部義歯
１１、１１ａ：人工歯
１２：義歯床
１３ａ、１３ｂ：残存歯
１４：圧接部
１５：歯列方向端部
１６：支持部
１７：欠損箇所
３０：口腔内
【図１】
2018064657.tif 000003
【図２】
2018064657.tif 000004
【図３】
2018064657.tif 000005
【図４】
2018064657.tif 000006
【図５】
2018064657.tif 000007